(57)【要約】【課題】  記憶容量が不足した場合、再生済の部分に上書き記録することのできる情報記録再生装置を提供すること。【解決手段】  映像データを記録するために必要な容量が、記録可能領域に存在しないと判断された場合に（ステップＳ１０４においてＮＯ）、「保護なし」の番組データがあるか否かを判断する（ステップＳ１１２）。「保護なし」の番組データがあれば、その番組データを消去して記録可能領域に割り当てる（ステップＳ１１４）。さらに、「部分保護」の番組データがあるか否かを判断する（ステップＳ１１６）。「部分保護」の番組データがあれば、レジュームポイントの情報に基づいて、再生済の部分を消去してその領域を記録可能領域に割り当てる（ステップＳ１１８）。【選択図】        図５
2006073044.tif 000002
【特許請求の範囲】
【請求項１】
放送に基づく映像データを受信するための受信手段と、
前記映像データを格納するためのデータ格納領域と、前記データ格納領域を管理するための管理情報を格納するための管理情報格納領域とを含む記憶手段とを備え、
前記管理情報には、放送番組ごとに特定される映像データを管理するための番組情報と、前記番組情報ごとに映像データが記録されている領域を特定するための記録領域特定情報と、前記番組管理情報により特定される映像データの再生が停止された位置を記憶するための停止位置情報とが含まれ、
前記データ格納領域には、前記管理情報により、映像データが記録されている領域として管理される第１領域と、記録可能な領域として管理される第２領域とが含まれ、
前記番組情報ごとに、ユーザにより選択可能な属性を記憶するための属性記憶手段と、
前記データ格納領域に記録された映像データを読み出して再生するための再生手段と、
所定の指令信号に応じて、前記再生手段による読み出しを停止するための再生停止手段と、
前記再生停止手段により前記映像データの読み出しが停止された停止位置を前記停止位置情報として、前記番組情報ごとに記録するための停止位置記録手段と、
前記受信手段により受信される映像データを記録する場合に、前記データ格納領域への記録処理を制御するための制御手段とをさらに備え、
前記制御手段は、
前記映像データを記録するために必要な容量が、前記第２領域に存在するか否かを判断するための第１の判断手段と、
前記第１の判断手段により前記必要な容量が存在しないと判断された場合に、前記停止位置情報に基づいて、前記第１領域に再生済の領域が存在するか否かを判断するための第２の判断手段と、
前記第２の判断手段により前記再生済の領域が存在すると判断された場合に、前記再生済の領域を前記第２領域に割り当てて開放するための第１の領域開放手段とを含み、
前記第１の領域開放手段は、前記番組情報の属性が第１属性である場合に、前記番組情報にさらに含まれる日付情報の古い映像データから順に、前記再生済の領域を開放し、
前記番組情報の属性が第２属性である場合に、前記第１領域のうち、前記番組情報により特定される映像データが記録された領域を、前記第２領域に割り当てて開放するための第２の領域開放手段をさらに含み、
前記第２の領域開放手段による処理は、前記第１の領域開放手段による処理に優先して実行される、情報記録再生装置。
【請求項２】
映像データを受信するための受信手段と、
前記映像データを格納するためのデータ格納領域と、前記データ格納領域を管理するための管理情報を格納するための管理情報格納領域とを含む記憶手段とを備え、
前記管理情報には、映像データを各々特定するためのタイトル情報と、前記タイトル情報ごとに映像データが記録されている領域を特定するための記録領域特定情報と、前記タイトル情報により特定される映像データの再生が停止された位置を記憶するための停止位置情報とが含まれ、
前記データ格納領域には、前記管理情報により、映像データが記録されている領域として管理される第１領域と、記録可能な領域として管理される第２領域とが含まれ、
前記データ格納領域に記録された映像データを読み出して再生するための再生手段と、
所定の指令信号に応じて、前記再生手段による読み出しを停止するための再生停止手段と、
前記再生停止手段により前記映像データの読み出しが停止された停止位置を、前記停止位置情報として、前記タイトル情報ごとに記録するための停止位置記録手段と、
前記受信手段により受信される映像データを記録する場合に、前記データ格納領域への記録処理を制御するための制御手段とをさらに備え、
前記制御手段は、
前記映像データを記録するために必要な容量が、前記第２領域に存在するか否かを判断するための第１の判断手段と、
前記第１の判断手段により前記必要な容量が存在しないと判断された場合に、前記停止位置情報に基づいて、前記第１領域に再生済の領域が存在するか否かを判断するための第２の判断手段と、
前記第２の判断手段により前記再生済の領域が存在すると判断された場合に、前記再生済の領域を前記第２領域に割り当てて開放するための第１の領域開放手段とを含む、情報記録再生装置。
【請求項３】
前記タイトル情報ごとに、ユーザにより選択可能な属性を記憶するための属性記憶手段をさらに備え、
前記第１の領域開放手段は、前記タイトル情報の属性が第１属性である場合に、前記再生済の領域を開放する、請求項２に記載の情報記録再生装置。
【請求項４】
前記制御手段は、前記タイトル情報の属性が第２属性である場合に、前記第１領域のうち、前記タイトル情報により特定される映像データが記録された領域を、前記第２領域に割り当てて開放するための第２の領域開放手段をさらに含み、
前記第２の領域開放手段による処理は、前記第１の領域開放手段による処理に優先して実行される、請求項３に記載の情報記録再生装置。
【請求項５】
前記タイトル情報には、さらに、前記映像データが記録された日付情報が含まれ、
前記第１の領域開放手段は、前記日付情報の古い映像データから順に、前記再生済の領域を開放する、請求項２に記載の情報記録再生装置。
【請求項６】
前記タイトル情報には、さらに、前記映像データのジャンル情報が含まれ、
前記第１の領域開放手段は、ユーザにより予め設定されたジャンルの優先度が低いジャンルの映像データから順に、前記再生済の領域を開放する、請求項２に記載の情報記録再生装置。
【発明の詳細な説明】
【技術分野】
【０００１】
本発明は、情報記録再生装置に関し、特に、映像データが記録された領域を上書き記録可能な領域にすることのできる情報記録再生装置に関する。
【背景技術】
【０００２】
記録媒体に映像データを記録する場合、記憶容量不足であれば一定の条件により記録済みの領域に上書きして容量を確保する技術がある。
【０００３】
たとえば、特許文献１には、記録媒体の空き容量不足が生じても、録画されているデータの中から視聴済み等で不要と判断したデータを削除することにより、最新の予約番組を優先して録画できる番組録画方法が開示されている。また、特許文献２には、記録済の番組の重要度とその番組が視聴済か未視聴かの区別とを表わす優先度情報に基づいて、優先度の低い番組から順に上書きする放送受信装置が開示されている。
【０００４】
特許文献３には、嗜好度の高い番組に嗜好度の低い番組が上書きされてしまう不都合を防止することのできる放送番組録画装置が開示されている。特許文献４には、繰り返し録画機能を用いて番組を録画する際に、ユーザが録画番組を視聴したか否かに基づいて、自動的に録画予約された録画番組の録画位置を変更することができるディジタル記録再生装置が開示されている。
【特許文献１】特開２００１−１６７５２２号公報
【特許文献２】特開２００１−２０３９６０号公報
【特許文献３】特開２００３−３１９３０４号公報
【特許文献４】特開２００４−８８６３４号公報
【発明の開示】
【発明が解決しようとする課題】
【０００５】
しかしながら、従来は、記憶容量が不足している場合、保護されていないデータや視聴済のデータ全体を消去してしまうものであった。したがって、これらのデータを消去してもなお容量が確保できない場合は、録画が開始できないことになる。
【０００６】
本発明は、上記のような問題を解決するためになされたものであって、その目的は、記憶容量が不足した場合、再生済の部分に上書き記録することのできる情報記録再生装置を提供することである。
【課題を解決するための手段】
【０００７】
この発明のある局面に従う情報記録再生装置は、放送に基づく映像データを受信するための受信手段と、映像データを格納するためのデータ格納領域と、データ格納領域を管理するための管理情報を格納するための管理情報格納領域とを含む記憶手段とを備え、管理情報には、放送番組ごとに特定される映像データを管理するための番組情報と、番組情報ごとに映像データが記録されている領域を特定するための記録領域特定情報と、番組管理情報により特定される映像データの再生が停止された位置を記憶するための停止位置情報とが含まれ、データ格納領域には、管理情報により、映像データが記録されている領域として管理される第１領域と、記録可能な領域として管理される第２領域とが含まれる。
【０００８】
さらに、番組情報ごとに、ユーザにより選択可能な属性を記憶するための属性記憶手段と、データ格納領域に記録された映像データを読み出して再生するための再生手段と、所定の指令信号に応じて、再生手段による読み出しを停止するための再生停止手段と、再生停止手段により映像データの読み出しが停止された停止位置を停止位置情報として、番組情報ごとに記録するための停止位置記録手段と、受信手段により受信される映像データを記録する場合に、データ格納領域への記録処理を制御するための制御手段とを備える。
【０００９】
上述の制御手段は、映像データを記録するために必要な容量が、第２領域に存在するか否かを判断するための第１の判断手段と、第１の判断手段により必要な容量が存在しないと判断された場合に、停止位置情報に基づいて、第１領域に再生済の領域が存在するか否かを判断するための第２の判断手段と、第２の判断手段により再生済の領域が存在すると判断された場合に、再生済の領域を第２領域に割り当てて開放するための第１の領域開放手段と、番組情報の属性が第２属性である場合に、第１領域のうち、番組情報により特定される映像データが記録された領域を、第２領域に割り当てて開放するための第２の領域開放手段とを含む。
【００１０】
第１の領域開放手段は、番組情報の属性が第１属性である場合に、番組情報にさらに含まれる日付情報の古い映像データから順に、再生済の領域を開放する。また、第２の領域開放手段による処理は、第１の領域開放手段による処理に優先して実行される。
【００１１】
この発明の他の局面に従う情報記録再生装置は、映像データを受信するための受信手段と、映像データを格納するためのデータ格納領域と、データ格納領域を管理するための管理情報を格納するための管理情報格納領域とを含む記憶手段とを備え、管理情報には、映像データを各々特定するためのタイトル情報と、タイトル情報ごとに映像データが記録されている領域を特定するための記録領域特定情報と、タイトル情報により特定される映像データの再生が停止された位置を記憶するための停止位置情報とが含まれ、データ格納領域には、管理情報により、映像データが記録されている領域として管理される第１領域と、記録可能な領域として管理される第２領域とが含まれる。
【００１２】
さらに、データ格納領域に記録された映像データを読み出して再生するための再生手段と、所定の指令信号に応じて、再生手段による読み出しを停止するための再生停止手段と、再生停止手段により映像データの読み出しが停止された停止位置を、停止位置情報として、タイトル情報ごとに記録するための停止位置記録手段と、受信手段により受信される映像データを記録する場合に、データ格納領域への記録処理を制御するための制御手段とを備える。
【００１３】
上述の制御手段は、映像データを記録するために必要な容量が、第２領域に存在するか否かを判断するための第１の判断手段と、第１の判断手段により必要な容量が存在しないと判断された場合に、停止位置情報に基づいて、第１領域に再生済の領域が存在するか否かを判断するための第２の判断手段と、第２の判断手段により再生済の領域が存在すると判断された場合に、再生済の領域を第２領域に割り当てて開放するための第１の領域開放手段とを含む。
【００１４】
好ましくは、タイトル情報ごとに、ユーザにより選択可能な属性を記憶するための属性記憶手段をさらに備え、第１の領域開放手段は、タイトル情報の属性が第１属性である場合に、再生済の領域を開放する。
【００１５】
さらに好ましくは、制御手段は、タイトル情報の属性が第２属性である場合に、第１領域のうち、タイトル情報により特定される映像データが記録された領域を、第２領域に割り当てて開放するための第２の領域開放手段をさらに含み、第２の領域開放手段による処理は、第１の領域開放手段による処理に優先して実行される。
【００１６】
また、タイトル情報には、さらに、映像データが記録された日付情報が含まれ、第１の領域開放手段は、日付情報の古い映像データから順に、再生済の領域を開放することが望ましい。
【００１７】
また、タイトル情報には、さらに、映像データのジャンル情報が含まれ、第１の領域開放手段は、ユーザにより予め設定されたジャンルの優先度が低いジャンルの映像データから順に、再生済の領域を開放することが望ましい。
【発明の効果】
【００１８】
本発明によると、映像データをデータ格納領域に記録する場合に、記録のために必要な容量が、記録可能な領域に存在しなければ、再生済の領域も記録可能領域とすることができる。したがって、再生済の領域に記録されていた映像データにも上書き記録が可能となる。
【００１９】
また、ユーザは、タイトル情報ごとに属性を選択することができる。これにより、ユーザが第１属性を選択した場合にのみ、そのタイトル情報に対応する再生済の領域を記録可能領域とすることができる。したがって、ユーザの意思に反して視聴済みの映像データが消去されることを防止することができる。
【発明を実施するための最良の形態】
【００２０】
本発明の実施の形態について図面を参照しながら詳細に説明する。なお、図中同一または相当部分には同一符号を付してその説明は繰返さない。
【００２１】
［実施の形態１］
図１を参照して、本発明の実施の形態に係るハードディスクレコーダ１００の構成について説明する。図１は、ハードディスクレコーダ１００のハードウェア構成を表わすブロック図である。なお、ハードディスクレコーダ１００は、本発明に係る情報記録再生装置の一態様であり、これに限られるものではない。たとえばＤＶＤ（Digital Versatile Disk）レコーダその他の着脱可能な記録媒体に映像データを記録する機能を備える装置であってもよい。
【００２２】
図１に示されるように、ハードディスクレコーダ１００は、外部から指示の入力を受付けてその指示に応じた信号を出力するための操作部１２２と、図示しないリモコン（リモートコントローラの略）からの信号を受信してその信号に応じた指令を出力するための受光部１２４と、ハードディスクレコーダ１００の時刻を計測してその時刻に応じた信号を出力するための計時回路１２６と、ハードディスクレコーダ１００の動作の状態を外部に表示するための表示部１２８とを含む。ここで、動作の状態とは、たとえばハードディスクレコーダ１００が再生中であるか録画中であるか、などをいう。
【００２３】
ハードディスクレコーダ１００は、さらに、アンテナ１９０に接続され、選局を指示されたチャンネルに基づく放送信号を受信するためのチューナ１３０と、チューナ１３０が受信した放送信号の映像データをＭＰＥＧ２（Moving Picture Experts Group ２）形式に変換して出力するためのＭＰＥＧエンコーダ１３２と、外部から入力される信号と内部に予め格納されているデータとに基づいて予め定められた処理を実行するためのシステム制御回路１１０とを含む。
【００２４】
ハードディスクレコーダ１００は、さらに、ハードディスク装置１４０と、ＭＰＥＧ２形式により圧縮された映像データであって、システム制御回路１１０から出力されるデータを復元するためのＭＰＥＧデコーダ１３６と、システム制御回路１１０により出力されるハードディスクレコーダ１００の動作の状態を表わす情報と予め定められたデータとに基づいて映像の表示部に表示させる画像を生成するためのＯＳＤ（On Screen Display）画像生成回路１１４と、ＭＰＥＧデコーダ１３６から出力されるデータとＯＳＤ画像生成回路１１４から出力されるデータとを合成して、映像を表示するための信号を出力する出力部１３８とを含む。
【００２５】
ハードディスクレコーダ１００は、出力部１３８において、ケーブル（図示しない）を介して、テレビ１５０に接続されている。ハードディスク装置１４０は、データの記録と再生を行なうデータ記録再生ヘッド１４２と、データが格納されるハードディスク１４４とを含む。
【００２６】
ここで、ハードディスク１４４の内容例について説明する。図２を参照して、ハードディスク１４４は、管理領域Ｅ１とデータ領域Ｅ２とを含む。
【００２７】
データ領域Ｅ２には、チューナ１３０が受信した放送信号に基づく映像データが格納される。管理領域Ｅ１には、データ領域Ｅ２を管理するための管理情報が格納される。
【００２８】
管理情報には、放送番組のタイトルごとに特定される映像データ（以下「番組データ」という）をタイトル管理データとして管理するためのタイトル管理テーブル２１、およびユーザにより設定された予約録画情報を管理するための予約録画管理テーブル２２が格納される。
【００２９】
データ領域Ｅ２には、管理情報によって、番組データが記録された領域として管理される領域と、記録可能な領域として管理される領域（以下「記録可能領域」という）とが含まれる。
【００３０】
なお、データ領域Ｅ２に格納される映像データは放送信号に基づく映像データに限られず、タイトルによって管理される動画データや静止画データの集合を表わしていてもよい。この場合、これらのデータはたとえばユーザによって外部装置と接続されることにより格納される。
【００３１】
また、タイトル管理テーブル２１のようにタイトルごとに映像データが記録された領域を特定するものなくてもよい。たとえば、映像データが記録されている領域を特定する情報をタイトルごとの情報とは別に管理することとしてもよい。
【００３２】
図３を参照して、予約録画管理テーブル２０は、ユーザにより設定された予約録画管理データＡｉ（ｉ＝１、２、３、…、ｎ）を有する。予約録画管理データＡｉは、録画日付Ｃ１、録画開始時刻Ｃ２、録画時間Ｃ３、チャンネルＣ４、属性Ｃ５などを含む。
【００３３】
ここで、属性Ｃ５は、番組データのデータ属性であり、本実施の形態において、たとえば、「部分保護」、「保護なし」、「保護」の３つからユーザにより選択される。なお、「部分保護」を属性１、「保護なし」を属性２、「保護」を属性３とする。また、本実施の形態においては、デフォルトとして属性３が記録されることとする。したがって、ユーザが属性データの選択を行なわなければ、属性Ｃ５は属性３とされる。
【００３４】
ここで、「保護」（属性３）は、録画済の番組データに上書き不可であることを示す。「保護なし」（属性２）は、録画済の番組データに上書き可能であることを示す。「部分保護」（属性１）は、後述のレジュームポイントの情報がある場合には、開始アドレスからレジュームポイントまでに記録された映像データは上書き可能であり、レジュームポイントから終了アドレスまでに記録された映像データは上書き不可であることを示す。なお、上書き可能である領域は、記録可能領域であることを示している。
【００３５】
次に、図４を参照して、タイトル管理テーブル２１は、番組データそれぞれに対応してタイトル管理データＢｊ（ｊ＝１、２、３、…、ｍ）を有する。この番組データは、タイトルにより特定されるデータであることを示す。
【００３６】
タイトル管理データＢｊは、対応の番組データについて、タイトルＤ１、開始アドレスＤ２、終了アドレスＤ３、レジュームポイントＤ４、録画時間長Ｄ５、録画日付Ｄ６、ジャンルＤ７、属性Ｄ８を含む。
【００３７】
タイトルＤ１は、たとえば、チューナ１３０を介して得られるＥＰＧ（Electric Program Guide）データに含まれる、放送番組のタイトル名や、ユーザにより設定されたタイトル名を示す。開始アドレスＤ２は、データ領域Ｅ２に記録された番組データの開始位置を示す。終了アドレスＤ３は、番組データの終了位置を示す。
【００３８】
レジュームポイントＤ４は、番組データを読み出して再生している場合に、所定の指示、たとえば、ユーザからの再生停止指令やメニュー表示指令があったときに再生が停止された位置（レジュームポイント）を示す。レジュームポイントは、たとえば、ＭＰＥＧデコーダ１３６によりデコードされた番組データのアドレスを示す。
【００３９】
録画時間長Ｄ５は、たとえば、開始アドレスＤ２と終了アドレスＤ３とにより算出された録画データの時間長を示す。録画日付Ｄ６は、データ領域Ｅ２に番組データが記録された日付を示す。ジャンルＤ７は、たとえば、上述のＥＰＧデータに含まれるジャンルデータを示す。属性Ｄ８は、番組データのデータ属性であり、上述の属性１〜３のいずれかを示す。なお、ユーザからの指示により、録画済の番組データの属性を変更することができる。たとえば、録画済番組データ一覧を表示させている場合に、ユーザが指定した番組データについて、その属性を変更することができる。
【００４０】
次に、図５に示したフローチャートを用いて、本発明の実施の形態におけるハードディスクレコーダ１００のシステム制御回路１１０が実行する録画処理の手順を説明する。この処理は、ユーザが録画の予約を設定しておいた場合に実行される。したがって、図３に示した予約録画管理データＡｉに基づいて実行される。
【００４１】
システム制御回路１１０は、計時回路１２６からの信号に基づき、現在の時刻が録画開始時刻Ｃ２の所定時間（たとえば１分）前であるか否かを判断する（ステップＳ１０２）。現在の時刻が録画開始時刻Ｃ２の所定時間前になるまで（ステップＳ１０２においてＮＯ）、録画処理を待機する。
【００４２】
システム制御回路１１０は、現在の時刻が録画開始時刻Ｃ２の所定時間前であると判断すると（ステップＳ１０２においてＹＥＳ）、録画時間Ｃ３分録画できるだけの容量が、記録可能領域に残っているか否かを判断する（ステップＳ１０４）。
【００４３】
システム制御回路１１０は、データ領域Ｅ２の記録可能領域に録画時間Ｃ３分録画できるだけの容量が残っていると判断した場合（ステップＳ１０４においてＹＥＳ）、ステップＳ１０６へ処理を進める。ステップＳ１０６において、計時回路１２６からの信号に基づき、現在の時刻が録画開始時刻Ｃ２を経過したか否かを判断する。現在の時刻が録画開始時刻Ｃ２となれば（ステップＳ１０６においてＹＥＳ）、映像データの記録を開始する（ステップＳ１０８）。現在の時刻が録画開始時刻Ｃ２となるまでは、映像データの記録を開始しない（ステップＳ１０６においてＮＯ）。
【００４４】
ステップＳ１０８における映像データの記録処理は、録画終了時刻となるまで実行される（ステップＳ１１０においてＮＯ）。録画終了時刻は、たとえば、録画開始時刻Ｃ２に録画時間Ｃ３を加えて取得されてもよいし、予め予約管理データＡｊに格納されていてもよい。
【００４５】
計時回路１２６からの信号が、録画終了時刻を示していれば（ステップＳ１１０においてＹＥＳ）、この処理を終了する。
【００４６】
一方、ステップＳ１０４において、システム制御回路１１０が、録画時間Ｃ３分録画できるだけの容量が残っていないと判断すると（ステップＳ１０４においてＮＯ）、タイトル管理データＢ１〜Ｂｍの属性Ｄ８を検索して、「保護なし」（属性２）の番組データがあるか否かを判断する（ステップＳ１１２）。属性２の番組データがあると判断した場合（ステップＳ１１２においてＹＥＳ）、そのデータを消去する（ステップＳ１１４）。たとえば、属性２を有するタイトル管理データＢｊを、タイトル管理テーブル２１から消去する。これにより、タイトル管理データＢｊにより特定されていた番組データが記録されていた領域を、記録可能領域とすることができる。
【００４７】
なお、本実施の形態において、たとえば、属性２の番組データのうち、タイトル管理データＢ１〜Ｂｍの録画日付Ｄ６が最も古いデータから順に消去することとしてもよい。
【００４８】
ステップＳ１１４において属性２のタイトル管理データＢｊを消去すると、ステップＳ１２０へ処理を進める。
【００４９】
一方、ステップＳ１１２において、「保護なし」（属性２）の番組データがないと判断された場合（ステップＳ１１２においてＮＯ）、次に「部分保護」（属性１）の番組データがあるか否かを判断する（ステップＳ１１６）。属性１の番組データがあると判断した場合（ステップＳ１１６においてＹＥＳ）、該当のタイトル管理データＢｊのレジュームポイントＤ４までのデータを消去する（ステップＳ１１８）。すなわち、該当のタイトルデータＢｊを書き換えて、開始アドレスＤ３からレジュームポイントＤ４までに記録された領域を開放して、記録可能領域に割り当てる処理を行なう。たとえば、開始アドレスＤ３をレジュームポイントＤ４が示すアドレスに書き換える。また、レジュームポイントＤ４をリセットし、録画時間長Ｄ５を元の時間から再生された時間を引いた時間に書き換える。
【００５０】
ステップＳ１１８において、たとえば、属性１の番組データのうち、タイトル管理データＢ１〜Ｂｍの録画日付Ｄ６が最も古いデータから順に消去する。
【００５１】
また、属性１の番組データのうち、タイトル管理データＢ１〜ＢｍのジャンルＤ７が示すジャンルの優先順位の低い番組データから消去することとしてもよい。この場合、たとえば管理領域Ｅ１やメモリ１１２などに、ユーザにより予め定められたジャンルの優先順位を記憶しておく領域があるものとする。
【００５２】
また、上記ステップＳ１１４に示したデータ消去の処理においても、ジャンルの優先順位の低い番組データから消去することとしてもよい。
【００５３】
上述のステップＳ１１８における書き換え処理を終了すると、ステップＳ１２０へ処理を進める。なお、このステップＳ１１８におけるタイトル管理データＢｊの書き換え処理については、後に詳述する。
【００５４】
また、ステップＳ１１６において、属性１の番組データがないと判断された場合にも（ステップＳ１１６においてＮＯ）、ステップＳ１２０に処理を進める。
【００５５】
ステップＳ１２０において、計時回路１２６からの信号が録画終了時刻を示しているか否かを判断する。録画終了時刻になっていなければ（ステップＳ１２０においてＮＯ）、次に、現在の時刻が録画開始時刻Ｃ２を経過しているか否かを判断する（ステップＳ１２２）。録画開始時刻Ｃ２を過ぎていなければ（ステップＳ１２２においてＮＯ）、ステップＳ１０４に処理を戻す。一方、録画開始時刻Ｃ２を過ぎていれば（ステップＳ１２２においてＮＯ）、システム制御回路１１０は、表示部１２８にメッセージを表示する（ステップＳ１２４）。たとえば、容量不足のため録画が開始できない旨のメッセージが表示部１２８に表示される。その後、再びステップＳ１０４に処理を戻す。
【００５６】
このようにステップＳ１２４においてメッセージを表示することにより、ユーザに対して容量不足であることを知らせることができる。これにより、ユーザが録画済の番組データの属性Ｄ８をたとえば属性３から属性１や属性２に変更すると、録画のための容量を確保することが可能となる。
【００５７】
なお、ステップＳ１２２とＳ１２４の処理は省略してもよい。
【００５８】
上述のように、ステップＳ１２０において、録画終了時刻となったことが検知されるまで、ステップＳ１０４において残量を検出する。一方、ステップＳ１２０において、録画終了時刻となったことが検知されると（ステップＳ１２０においてＹＥＳ）、この録画処理を終了する。
【００５９】
上述のような録画処理によると、ユーザにより「部分保護」の属性を設定された番組データについては、再生済の領域も、記録可能領域に割り当てることができる。したがって、ユーザが視聴した映像は必要ないと判断した番組データについてのみ、視聴済の映像データに上書きして録画することができる。これにより、ユーザの意思に反して視聴済の映像データが消去されることを防止することができる。
【００６０】
次に、上記ステップＳ１１８におけるタイトル管理テーブル２１の書き換え処理について、図６および図７を用いて説明する。
【００６１】
図６（ａ）は、書き換え処理が行なわれる前の番組データを特定する領域を概念的に表わすための図であり、図６（ｂ）は、書き換え処理が行なわれた後の番組データを特定する領域を概念的に表わすための図である。図７（ａ）は、書き換え処理が行なわれる前のタイトル管理データＢｊの内容例を示す図であり、図７（ｂ）は、書き換え処理が行なわれた後のタイトル管理データＢｊの内容例を示す図である。
【００６２】
はじめに図７（ａ）を参照して、タイトル管理データＢｊにより管理される、タイトル「ＡＡ」の番組データ（以下「番組データＡＡ」という）について説明する。タイトルＤ１は「ＡＡ」を示し、開始アドレスＤ２は「ａ０００１」を示し、終了アドレスＤ３は「ａ０１２０」を示し、レジュームポイントＤ４は「ａ００４１」を示す。また、録画時間長Ｄ５は「１２０分」を示し、録画日付Ｄ６は「××年××月××日」を示し、ジャンルＤ７は「ドラマ」を示し、データ属性Ｄ８は「部分保護」（属性１）を示す。
【００６３】
図６（ａ）を参照して、この番組データＡＡは、タイトル管理データＢｊにおいて、アドレスａ０００１からａ０１２０までの領域に格納されたものとして管理される。番組データＡＡは、図７（ａ）のレジュームポイントＤ４に示したように、アドレスａ００４１まで再生されている。
【００６４】
ここで、ステップＳ１１８における書き換え処理が実行されると、図６（ａ）の斜線で示した領域は記録可能領域として開放される。
【００６５】
そうすると、図７（ｂ）を参照して、開始アドレスＤ２は「ａ０００１」から「ａ００４１」に書き換えられ、レジュームポイントＤ４は「ａ００４１」をリセットする。さらに、たとえば、アドレスａ０００１からａ００４１までの領域に記録可能な時間を４０分であるとすると、録画時間長Ｄ５は「１２０分」から「８０分」（１２０分−４０分）に書き換えられる。
【００６６】
このように書き換えられた番組データＡＡは、図６（ｂ）を参照して、アドレスａ００４１からａ０１２０までの領域に格納されたものとして管理されることになる。
【００６７】
このように書き換えられることにより、図６（ａ）の斜線で示した領域に、上書き記録することができる。
【００６８】
なお、本実施の形態においては、属性が「部分保護」の番組データについてのみ、再生済の領域を開放する処理（ステップＳ１１８）を行なうこととしたが、このような属性によらずに行なうこととしてもよい。
【００６９】
また、予約録画の設定がされた放送番組に基づく映像データの記録処理について説明したが、これに限定されない。たとえば、インターネットなどの外部ネットワークによりダウンロードされる映像データの記録処理であってもよい。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】本発明の実施の形態におけるハードディスクレコーダのハードウェア構成を表わすブロック図である。
【図２】本発明の実施の形態におけるハードディスクの内容例を示す図である。
【図３】予約録画管理テーブルの内容例を示す図である。
【図４】タイトル管理テーブルの内容例を示す図である。
【図５】本発明の実施の形態におけるハードディスクレコーダのシステム制御回路が実行する録画処理の手順を示すフローチャートである。
【図６】（ａ）はタイトル管理データの書き換え処理が行なわれる前の番組データを特定する領域を概念的に示す図であり、（ｂ）はタイトル管理データの書き換え処理が行なわれた後の番組データを特定する領域を概念的に示す図である。
【図７】（ａ）は書き換え処理が行なわれる前のタイトル管理データの内容例を示す図であり、（ｂ）は書き換え処理が行なわれた後のタイトル管理データの内容例を示す図である。
【符号の説明】
【００７２】
２０  予約録画管理テーブル、２１  タイトル管理テーブル、２２  予約録画管理テーブル、１００  ハードディスクレコーダ、１１０  システム制御回路、１１２  メモリ、１１４  ＯＳＤ画像生成回路、１２２  操作部、１２４  受光部、１２６  計時回路、１２８  表示部、１３０  チューナ、１３２  ＭＰＥＧエンコーダ、１３６  ＭＰＥＧデコーダ、１３８  出力部、１４０  ハードディスク装置、１４２  データ記録再生ヘッド、１４４  ハードディスク、１５０  テレビ、１９０  アンテナ。
【図１】
2006073044.tif 000003
【図２】
2006073044.tif 000004
【図３】
2006073044.tif 000005
【図４】
2006073044.tif 000006
【図５】
2006073044.tif 000007
【図６】
2006073044.tif 000008
【図７】
2006073044.tif 000009